(57)【特許請求の範囲】
【請求項１】
容器用の装着キャップと、この装着キャップを通って繋がって少なくともその押し込みにより内容物の圧送を生起させるステムと、このステムに繋がって使用者からの押し込みを当該ステムの押し込みとして伝えるヘッドとを備える液体噴出器に用いられ、
装着キャップの上面とヘッドの下面とに接触して当該ヘッドの押し込みを阻止するストッパであって、
このストッパは、前記ステムと着脱可能に装着される第一の装着部と、
この第一の装着部と共に、前記ステムと着脱可能に装着される第二の装着部とを一体に備え、第一の装着部と第二の装着部とが、ヒンジを介して一体に連結されたものであり、
第一の装着部の上端は、前記ステムに装着したとき、前記ヘッドの下面との間に隙間を形成し、
第二の装着部の上端は、前記ステムに装着したとき、ヘッドの下面と接触して当該第一の装着部の下端と共に、ヘッドの押し込みを阻止する一方、
第一の装着部及び第二の装着部は、ステムを取り囲む筒状体を２つ割りとした分割部材であって、一方の分割部材の上端の高さと、他方の分割部材の上端の高さとが高低差を有し、
上端の高さの低い方を第一の装着部として、また、上端の高さの高い方を第二の装着部としてなることを特徴とする液体噴出器のストッパ。
【請求項２】
請求項１において、第一の装着部と第二の装着部とにそれぞれ、互いを着脱可能に連結する連結部を設けたことを特徴とする液体噴出器のストッパ。
【請求項３】
請求項１又は２において、第一の装着部と第二の装着部との内面に、その内側に向かって突出する複数の縦リブを設けたことを特徴とする液体噴出器のストッパ。
【請求項４】
請求項１乃至３のいずれか一項において、第一の装着部及び第二の装着部の少なくとも一方に、使用者が把持するための把持部を備えることを特徴とする液体噴出器のストッパ。
【請求項５】
請求項１乃至４のいずれか一項に記載のストッパと、
容器用の装着キャップと、この装着キャップを通って繋がって少なくともその押し込みにより内容物の圧送を生起させるステムと、このステムに繋がって使用者からの押し込みを当該ステムの押し込みとして伝えるヘッドとを備える液体噴出器とを備えることを特徴とするストッパ付き液体噴出器ユニット。
【発明の詳細な説明】
【技術分野】
【０００１】
本発明は、容器用の装着キャップを通って繋がるステムを押し込むことによって内容物の圧送を生起させる液体噴出器に用いられ、当該ヘッドの押し込みを、装着キャップの上面及びヘッドの下面との接触により阻止する液体噴出器のストッパに関するものである。
【背景技術】
【０００２】
従来の液体噴出器のストッパには、例えば、装着キャップの上面とヘッドの下面との間に配置可能な基部の両側に、この基部から変形及び復元可能に延在する弾性腕部を設け、当該弾性腕部でステムを着脱可能に挟持することにより、ヘッドの押し込みを阻止するものがある（例えば、特許文献１参照。）
【特許文献１】特開２００６−２４０６３８号公報
【発明の開示】
【発明が解決しようとする課題】
【０００３】
しかしながら、従来のストッパは、ヘッドの押し込みを阻止する機能のみを有し、液体噴出器を使用中は、何らの役目も果たさない。このため、ストッパを取り外して使用する際に、ストッパを紛失してしまう等の問題があった。
【０００４】
本発明は、こうした事実認識に基づいてなされたものであり、その目的とするところは、液体噴出器のストッパに、ストッパ以外の機能を付加することにより、付加価値の高い新規な液体噴出器のストッパを提供することにある。
【課題を解決するための手段】
【０００５】
本発明である、液体噴出器のストッパは、容器用の装着キャップと、この装着キャップを通って繋がって少なくともその押し込みにより内容物の圧送を生起させるステムと、このステムに繋がって使用者からの押し込みを当該ステムの押し込みとして伝えるヘッドとを備える液体噴出器に用いられ、装着キャップの上面とヘッドの下面とに接触して当該ヘッドの押し込みを阻止するストッパであって、このストッパは、前記ステムと着脱可能に装着させる第一の装着部と、この第一の装着部と共に、前記ステムと着脱可能に装着させる第二の装着部とを一体に備え、第一の装着部と第二の装着部とが、ヒンジを介して一体に連結されたものであり、第一の装着部の上端は、前記ステムに装着したとき、前記ヘッドの下面との間に隙間を形成し、第二の装着部の上端は、前記ステムに装着したとき、ヘッドの下面と接触して当該第一の装着部の下端と共に、ヘッドの押し込みを阻止する一方、第一の装着部及び第二の装着部は、ステムを取り囲む筒状体を２つ割りとした分割部材であって、一方の分割部材の上端の高さと、他方の分割部材の上端の高さとが高低差を有し、上端の高さの低い方を第一の装着部として、また、上端の高さの高い方を第二の装着部としてなることを特徴とするものである。
【０００８】
また、第一の装着部と第二の装着部とは、ヒンジを介して一体に連結する。加えて、本発明に係る液体噴出器は、ポンプを備えるもの、エアゾール容器に対応させたもののいずれにも適用可能である。
【０００９】
更に、本発明によれば、第一の装着部と第二の装着部とにそれぞれ、互いを着脱可能に連結する連結部を設けることが好ましい。この連結部としては、例えば、凹凸嵌合を実現する凹部及び凸部や、フック係合を実現する爪部等が挙げられる。
【００１０】
また、本発明によれば、第一の装着部と第二の装着部との内面に、その内側に向かって突出する複数の縦リブを設けることができる。
【００１１】
更に、本発明によれば、第一の装着部及び第二の装着部の少なくとも一方に、使用者が把持するための把持部を備えることが好ましい。
【００１２】
加えて、本発明は、上記ストッパと、容器用の装着キャップと、この装着キャップを通って繋がって少なくともその押し込みにより内容物の圧送を生起させるステムと、このステムに繋がって使用者からの押し込みを当該ステムの押し込みとして伝えるヘッドとを備える液体噴出器とを備えることを特徴とするストッパ付き液体噴出器ユニットである。
【発明の効果】
【００１３】
本発明である液体噴出器のストッパによれば、第一の装着部がステムに装着したときには、ヘッドの下面との間に隙間が形成されることで、その隙間分だけ、ヘッドの押し込みを許容しつつも、当該隙間分だけ押し込んだ後は、ヘッドの下面が第一の装着部の上端と接触することにより、結果的に前記ヘッド（ステム）のストロークを規制する。これにより、使用中もストッパを取り外すことなく使用すれば、使用者の所望する吐出量に応じた注出が可能になる。
【００１４】
また、第二の装着部でステムに装着したときには、当該第二の装着部の上端がヘッドの下面と接触することにより、当該第二の装着部の下端と共に、ヘッドの押し込みを阻止することで、本来のストッパ機能が保証される。
【００１５】
しかも、本発明であるストッパによれば、内容物の経済的な注出が要求されない場合には、従来のように、使用時にストッパを取り外すこともできる。
【００１６】
即ち、本発明であるストッパは、従来の機能を何ら損なうことなく、ストッパ以外の機能が付加された付加価値の高いものとなることから、液体噴出器の使用中に取り外すことで生じる、例えば、ストッパの紛失などを抑止することができる。
【００１７】
また、本発明において、第一の装着部及び第二の装着部を、ステムを取り囲む筒状体を２つ割りとした分割部材とし、一方の分割部材の上端の高さと、他方の分割部材の上端の高さとに高低差を設け、上端の高さの低い方を第一の装着部とすると共に、上端の高さの高い方を第二の装着部とすることにより、第一の装着部及び第二の装着部をステムに装着したときの形状がコンパクト化され、省スペース化が図れるので、その付加価値は更に高いものとなる。
【００１８】
また、本発明において、第一の装着部と第二の装着部とを、ヒンジを介して一体に連結することにより、第一の装着部及び第二の装着部をそれぞれ独立した状態で動作させることができ、使い勝手が向上することにより、その付加価値は更に高いものとなる。
【００１９】
更に、本発明によれば、第一の装着部と第二の装着部とにそれぞれ、互いを着脱可能に連結する連結部を設けることで、第一の装着部と第二の装着部とを連結することにより、ストッパとして機能させるにあたり、第二の装着部がぶらつくことなく、省スペース化が図れることから、その付加価値は更に高いものとなる。
【００２０】
また、本発明によれば、第一の装着部と第二の装着部との内面に、その内側に向かって突出する複数の縦リブを設けることで、ステムに装着したときに、当該ステムの周りに局所的な隙間を形成してもよい。
【００２１】
更に、本発明によれば、第一の装着部及び第二の装着部の少なくとも一方に、使用者が把持するための把持部を設ければ、第一の装着部及び第二の装着部の少なくともいずれか一方の着脱操作が容易になることで、使い勝手が向上することにより、その付加価値は更に高いものとなる。
【００２２】
加えて、上述したストッパと液体噴出器とでユニット化すれば、ステムの長さや外形寸法を併せて調整することで、ストローク量や液体噴出器に固定するに当たっての保持力が調整できるので、その付加価値は更に高いものとなる。
【発明を実施するための最良の形態】
【００２３】
図１(a),(b)はそれぞれ、本発明であるストッパを備える液体噴出器ユニット１の一形態を、本発明に従うストッパ１０が注出量を制限している状態上方から示す平面図と、同状態を一部断面で示す側面図である。
【００２４】
また、図２(a),(b)はそれぞれ、同形態を、本発明に従うストッパ１０がストッパとして機能している状態上方から示す平面図と、同状態を一部断面で示す側面図である。
【００２５】
符号２は、容器の口部に装着するための装着キャップである。装着キャップ２は、容器の口部に対し螺合や凹凸嵌合等の既存の方法により固定される。
【００２６】
符号３は、装着キャップ２の下部に配置されるポンプである。
【００２７】
符号４は、ポンプ３に繋がってその押し込み及び復帰によりポンプ動作を生起させる円筒形状のステムである。ステム３は、装着キャップ２を貫通してポンプ３に繋がる。
【００２８】
符号５は、ステム４に繋がるヘッドである。ヘッド５は、ステム４を通って圧送された内容物を外界に排出する排出口5aを有し、その上端5aは、使用者が押圧するための押圧面5bを構成する。
【００２９】
これにより、ヘッド５は、使用者からの押し込みを当該ステム４の押し込みとして伝える。なお、押圧面5bの外縁の周りには、全周に亘って周壁5cが一体に形成されている。
【００３０】
本形態において、液体噴出器は、装着キャップ２、ポンプ３、ステム４及びヘッド５からなる。
【００３１】
符号１０は、本発明に従うストッパである。
【００３２】
ここで、図３(a),(b)はそれぞれ、ストッパ１０が注出量を制限している状態を実線で、また、ストッパとして機能している状態を破線で、上側から示す平面図及び、ストッパ１０が注出量を制限している状態を示す側面図である。
【００３３】
ストッパ１０は、図２や図３(a)の破線で示すように、ステム４を取り囲む筒状体を２つ割りとした分割部材１１，１２とを有し、分割部材１１と分割部材１２とは、ヒンジ１３を介して揺動可能に一体に連結されている。
【００３４】
分割部材１１は、ステム４と着脱可能に嵌合する内面11ｆを有し、この内面11ｆには、図３等に示すように、軸線Ｏに沿って延在し、その内側（軸線Ｏ）に向かって突出する２つの縦リブ11ｒが一体に設けられている。
【００３５】
また、分割部材１２も、ステム４と着脱可能に嵌合する内面12ｆを有し、この内面12ｆにも、図３等に示すように、軸線Ｏに沿って延在し、その内側（軸線Ｏ）に向かって突出する２つの縦リブ12ｒが一体に設けられている。
【００３６】
分割部材１１の上端ｅ11の高さ、即ち、分割部材１１の全長Ｌ11と、分割部材１２の上端ｅ12の高さ、即ち、分割部材１２の全長Ｌ12とは、図１(b)や図３(b)に示すように、高さΔＬ分だけの高低差を有する。
【００３７】
これにより、分割部材１１及び１２のうち、高さの低い上端ｅ11側の分割部材１１が第一の装着部として、また、高さの高い上端ｅ12側の分割部材１２が第二の装着部としてなる。
【００３８】
更に、分割部材１１と、分割部材１２とにはそれぞれ、互いを着脱可能に連結する連結部１４，１５が設けられている。
【００３９】
詳細には、図３等に示すように、分割部材１１は、その側縁外面が軸線Ｏに沿って切り欠かれて段部14sを形成し、この段部14sには、突起14ｐが一体に形成されている。
【００４０】
また、分割部材１２は、その側縁外面が軸線Ｏに沿って切り欠かれ、分割部材１１の段部14sと合さる段部15sを形成し、この段部15sには、分割部材１１の突起14ｐと着脱可能に係合する突起15ｐが一体に形成されている。
【００４１】
加えて、分割部材１１の外面には、使用者が把持するための把持部11ｇが一体に形成されている。なお、この把持部は、分割部材１２の外面に、分割部材１１の把持部11ｇと併せて、又は、分割部材１２の単独で設けることもできる。
【００４２】
本形態に係るストッパ１０によれば、分割部材１１がステム４と嵌合したときには、ヘッド５の下面5fとの間に高さ隙間ΔＬが形成されることで、その高さ隙間ΔＬの分だけ、ヘッド５の押し込みを許容しつつも、当該高さ隙間ΔＬの分だけ押し込んだ後は、ヘッド５の下面5fが分割部材１１の上端ｅ11と接触することにより、結果的にヘッド５（ステム４）のストロークを規制する。これにより、使用中もストッパ１０を取り外すことなく使用すれば、内容物の経済的な注出が可能になる。
【００４３】
また、分割部材１２でステム４と嵌合したときには、当該分割部材１２の上端ｅ12がヘッド５の下面5fと接触することにより、分割部材１１及び１２の下端ｅと共に、ヘッド５の押し込みを阻止することで、本来のストッパ機能が保証される。
【００４４】
しかも、ストッパ１０によれば、内容物の経済的な注出が要求されない場合には、従来のように、使用時にストッパ１０を取り外すこともできる。
【００４５】
即ち、本形態に係るストッパ１０は、従来の機能を何ら損なうことなく、ストッパ以外の機能が付加された付加価値の高いものとなることから、液体噴出器の使用中に取り外すことで生じる、例えば、ストッパの紛失などを抑止することができる。
【００４６】
また、本形態の如く、第一の装着部及び第二の装着部を、ステムを取り囲む筒状体を２つ割りとした分割部材１１及び１２とし、分割部材１１の上端ｅ11の高さＬ11と、分割部材１２の上端ｅ12の高さＬ12とに高さΔＬだけ高低差を設け、高さの低い上端ｅ11側の分割部材１１を第一の装着部とすると共に、高さの高い上端ｅ12側の分割部材１２を第二の装着部とすれば、第一の装着部及び第二の装着部をステム４に嵌合させたときの形状がコンパクト化され、省スペース化が図れるので、その付加価値は更に高いものとなる。
【００４７】
また、本形態の如く、分割部材１１と分割部材１２とを、ヒンジ１３を介して一体に連結すれば、分割部材１１及び１２をそれぞれ独立した状態で動作させることができ、使い勝手が向上することにより、その付加価値は更に高いものとなる。
【００４８】
更に、本形態の如く、分割部材１１と分割部材１２とにそれぞれ、互いを着脱可能に連結する連結部１４及び１５を設けることで、分割部材１１と分割部材１２とを連結すれば、ストッパとして機能させるにあたり、分割部材１２がぶらつくことなく、省スペース化が図れることから、その付加価値は更に高いものとなる。
【００４９】
また、本発明によれば、分割部材１１の内面11ｆと分割部材１２の内面12ｆにそれぞれ、その内側に向かって突出する複数の縦リブ11ｒ，12ｒを設けることで、ステム４に装着したときに、このステム４の周りに局所的な隙間を形成してもよい。
【００５０】
更に、本形態の如く、分割部材１１と分割部材１２との少なくとも一方に、使用者が把持するための把持部（11ｇ）を設ければ、分割部材１１と分割部材１２との少なくとも一方の着脱操作が容易になることで、使い勝手が向上することにより、その付加価値は更に高いものとなる。
【００５１】
加えて、上述したストッパ１０と液体噴出器とでユニット化すれば、ステム４の長さや外形寸法を併せて調整することで、ストローク量や液体噴出器に固定するに当たっての保持力が調整できるので、その付加価値は更に高いものとなる。
【００５２】
また、ステム４とヘッド５とは別体に構成しても、一体に構成してもよい。また、ヘッド５の下端5fは、ヘッド５の外周に形成した段差とすることも可能である。加えて、液体噴出器は、本形態のような、ポンプ３を備えるものに替えて、エアゾール容器に対応させたもののいずれにも適用可能である。
【図面の簡単な説明】
【００５３】
【図１】(a),(b)はそれぞれ、本発明であるストッパを備える液体噴出器ユニットの一形態を、本発明に従うストッパが注出量を制限している状態を上方から示す平面図と、同状態を一部断面で示す側面図である。
【図２】(a),(b)はそれぞれ、同形態を、本発明に従うストッパがストッパとして機能している状態を上方から示す平面図と、同状態を一部断面で示す側面図である。
【図３】(a),(b)はそれぞれ、ストッパが注出量を制限している状態を実線で、また、ストッパとして機能している状態を破線で、下側から示す平面図及び、ストッパが注出量を制限している状態を示す側面図である。
【符号の説明】
【００５４】
１  液体噴出器ユニット
２  装着キャップ
2a  装着キャップ上面
３  ポンプ
４  ステム
５  ヘッド
5a  排出口
5b  押圧面
5c  筒状側壁
5f  ヘッドの下面
10  ストッパ
11  分割部材（第一の装着部）
11f 分割部材内面
11r 縦リブ
12  分割部材（第二の装着部）
12f 分割部材内面
12r 縦リブ
13  ヒンジ
14  連結部（第一の装着部側）
14s 段部
14p 突起
15  連結部（第二の装着部側）
15s 段部
15p 突起
ｅ  ストッパ下端
e11  分割部材（第一の装着部）の上端（ストッパ上端）
e12  分割部材（第二の装着部）の上端（ストッパ上端）
【図１】
0005138336.tif 000002
【図２】
0005138336.tif 000003
【図３】
0005138336.tif 000004